(57)【要約】【課題】ヘアスタイルを理論的に理解できるようにする。【解決手段】仮想頭部における頭頂から鉛直に伸びる仮想基準軸線Ｇに対して、半径方向Ｒかつ鉛直方向Ｓに広がる分析平面５５を有する分析板５０を有するようにし、分析平面５５には、分析平面上に沿う頭髪を仮想頭部から水平方向に引き上げた頭髪形成状態が表示可能とする。【選択図】図１
2016077437.tif 000002
【特許請求の範囲】
【請求項１】
仮想頭部における頭頂から鉛直に伸びる仮想基準軸線に対して、半径方向かつ鉛直方向に広がる分析平面を有する分析板を有し、
前記分析平面には、当該分析平面上に沿う頭髪を前記仮想頭部から水平方向に引き上げた頭髪形成状態が表示可能となっていることを特徴とする、
ヘアスタイル分析装置。
【請求項２】
前記分析板は、前記仮想基準軸線に対して周方向に複数配置されることを特徴とする、
請求項１に記載のヘアスタイル分析装置。
【請求項３】
前記分析板は、少なくとも前記仮想頭部の正中線に沿った位置、及び、前記正中線から１８０度未満の周方向角度差を有する位置に配置されることを特徴とする、
請求項２に記載のヘアスタイル分析装置。
【請求項４】
前記分析板は、複数種の頭髪カット作業に基づく複数種の前記頭髪形成状態が、互いに区別可能に表示されることを特徴とする、
請求項１乃至３のいずれかに記載のヘアスタイル分析装置。
【請求項５】
前記頭髪カット作業及び前記頭髪形成状態として、頭髪輪郭形成カット作業による頭髪輪郭形成状態と、頭髪毛量調整カット作業による頭髪毛量調整状態を含むことを特徴とする、
請求項４に記載のヘアスタイル分析装置。
【請求項６】
前記頭髪毛量調整カット作業及び頭髪毛量調整状態として、頭髪流れ形成カット作業による頭髪流れ形成状態と、頭髪質感形成カット作業による頭髪質感形成状態を含むことを特徴とする、
請求項５に記載のヘアスタイル分析装置。
【請求項７】
複数種の前記頭髪形成状態が、線色又は線種によって区別されることを特徴とする、
請求項４乃至６のいずれかに記載のヘアスタイル分析装置。
【請求項８】
前記分析板の内周縁は、前記仮想頭部の外形に沿って湾曲していることを特徴とする、
請求項１乃至７のいずれかに記載のヘアスタイル分析装置。
【請求項９】
前記分析板の前記頭髪形成状態が、複数線分の束となる疑似毛束で表示されることを特徴とする、
請求項１乃至８のいずれかに記載のヘアスタイル分析装置。
【請求項１０】
前記分析板は透明の板部材であり、前記分析板に対して、ペンを利用して前記頭髪形成状態が描かれることを特徴とする、
請求項１乃至９のいずれかに記載のヘアスタイル分析装置。
【請求項１１】
少なくとも前記仮想頭部を側面から視た状態を提示するカット作業指示部を有し、
前記カット作業指示部には、頭髪カット作業時に前記頭髪を帯状の束として取り出す際の取出し線が表示されることを特徴とする、
請求項１乃至１０のいずれかに記載のヘアスタイル分析装置。
【請求項１２】
複数種の前記頭髪カット作業時に対応する複数種の前記取出し線が、互いに区別可能に表示されることを特徴とする、
請求項１１に記載のヘアスタイル分析装置。
【請求項１３】
前記カット作業指示部は、前記仮想頭部の三次元体となる頭部モデルであり、前記頭部モデルの表面に前記取出し線が表示されることを特徴とする、
請求項１１又は１２に記載のヘアスタイル分析装置。
【請求項１４】
前記頭部モデルの周囲に、前記分析板が放射状に配置されることを特徴とする、
請求項１３に記載のヘアスタイル分析装置。
【請求項１５】
前記頭部モデルの少なくとも半分には、ウイッグが設置されることを特徴とする、
請求項１３又は１４に記載のヘアスタイル分析装置。
【請求項１６】
ディスプレイとプログラムが実行される演算処理装置とを有するヘアスタイル分析装置であって、
仮想頭部における頭頂から鉛直に伸びる仮想基準軸線に対して、半径方向かつ鉛直方向に広がる分析平面を有する分析板を前記ディスプレイに表示する分析板表示手段と、
前記ディスプレイにおける前記分析板の前記分析平面に、当該分析平面上に沿う頭髪を前記仮想頭部から水平方向に引き上げた頭髪形成状態を表示する頭髪形成状態表示手段と、
を備えることを特徴とするヘアスタイル分析装置。
【請求項１７】
コンピュータに実行されることで、前記コンピュータに対して、
仮想頭部における頭頂から鉛直に伸びる仮想基準軸線に対して、半径方向かつ鉛直方向に広がる分析平面を有する分析板を前記ディスプレイに表示する分析板表示処理と、
前記ディスプレイにおける前記分析板の前記分析平面に、当該分析平面上に沿う頭髪を前記仮想頭部から水平方向に引き上げた頭髪形成状態を表示する頭髪形成状態表示処理と、
を実行させることを特徴とするヘアスタイル分析プログラム。
【請求項１８】
仮想頭部における頭頂から鉛直に伸びる仮想基準軸線に対して、半径方向かつ鉛直方向に広がる分析平面を利用し、前記分析平面に、当該分析平面上に沿う頭髪を前記仮想頭部から水平方向に引き上げた頭髪形成状態を表示することで、ヘアスタイルを分析することを特徴とする、ヘアスタイル分析方法。
【発明の詳細な説明】
【技術分野】
【０００１】
本発明は、頭髪のスタイルを分析する分析装置等に関する。
【背景技術】
【０００２】
美意識の変化に伴い、人間の頭髪スタイルは極めて多様化している。また、多様なヘアスタイルを実現するために、美容師・理容師等（以下、カット者）のカット方法も多岐に亘っている。近年の消費者の低コスト意識から、低料金でヘアカットサービスを提供するために、カット作業の効率化も求められている。
【０００３】
現在、カット者を育成する教育現場では、カット手順をマニュアル化し、その手順の通りにカットすることで、目的とするヘアスタイルを実現する。このマニュアルは、どの場所の毛髪を、手や櫛で引き出して、どの程度の量をカットするか、という具体的なカット手法に終始している。
【０００４】
また、教育指導ツールとして、頭髪のどこの部位を、どの程度カットすれば良いかを、定規のように指し示すヘアカット用の型枠等も存在する（例えば特許文献１）。
【先行技術文献】
【特許文献】
【０００５】
【特許文献１】実用新案登録３１６１３６１号
【発明の概要】
【発明が解決しようとする課題】
【０００６】
頭の形状は非正円の球体であり、複雑な形状となっている。従って、従来の教育ツールや、マニュアルに基づいてカットした場合に、なぜ、目的とするヘアスタイルが完成するのかについて、理論的に理解することが困難である。即ち、カット手順を覚えたとしても、そのカット理論を体系的に理解することが難しい。従って、教育の現場では、ヘアスタイルの種類の数に対応してマニュアルを用意しなければならず、記憶力に頼った指導や育成しかできないという問題があった。
【０００７】
理容室・美容室を利用する顧客の要望は多岐に亘り、マニュアル以外のヘアスタイルを要望される場合がある。この要望に的確に対応するには、カット者が、カット手順ではなくカット理論を体系的に理解していなければならない。しかし、カット理論を素早く簡単に理解できるツールが存在しない為、教育訓練が困難であり、熟練者でないと十分な対応ができない。顧客にとっても、カット者が、自分の要望を正確に理解して理論的にカットしているのか、漠然とした勘に頼ってカットしていのか良くわからない為、カット作業中に不安に陥りやすく、満足度が低下しやすい。
【０００８】
本発明は上記問題点に鑑みてなされたものであり、ヘアスタイルのカット理論を、視覚的に理解することを可能とし、カット技法とヘアスタイルの関係を体系的に理解できるようにすることを目的とする。
【課題を解決するための手段】
【０００９】
本発明者の鋭意研究により、上記目的は以下の手段によって達成される。
【００１０】
本発明は、仮想頭部における頭頂から鉛直に伸びる仮想基準軸線に対して、半径方向かつ鉛直方向に広がる分析平面を有する分析板を有し、前記分析平面には、当該分析平面上に沿う頭髪を前記仮想頭部から水平方向に引き上げた頭髪形成状態が表示可能となっていることを特徴とするヘアスタイル分析装置である。
【００１１】
上記ヘアスタイル分析装置に関連して、前記分析板は、前記仮想基準軸線に対して周方向に複数配置されることを特徴とする。
【００１２】
上記ヘアスタイル分析装置に関連して、前記分析板は、少なくとも前記仮想頭部の正中線に沿った位置、及び、前記正中線から１８０度未満の周方向角度差を有する位置に配置されることを特徴とする。
【００１３】
上記ヘアスタイル分析装置に関連して、前記分析板は、複数種の頭髪カット作業に基づく複数種の前記頭髪形成状態が、互いに区別可能に表示されることを特徴とする。
【００１４】
上記ヘアスタイル分析装置に関連して、前記頭髪カット作業及び前記頭髪形成状態として、頭髪輪郭形成カット作業による頭髪輪郭形成状態と、頭髪毛量調整カット作業による頭髪毛量調整状態を含むことを特徴とする。
【００１５】
上記ヘアスタイル分析装置に関連して、前記頭髪毛量調整カット作業及び頭髪毛量調整状態として、頭髪流れ形成カット作業による頭髪流れ形成状態と、頭髪質感形成カット作業による頭髪質感形成状態を含むことを特徴とする。
【００１６】
上記ヘアスタイル分析装置に関連して、複数種の前記頭髪形成状態が、線色又は線種によって区別されることを特徴とする。
【００１７】
上記ヘアスタイル分析装置に関連して、前記分析板の内周縁は、前記仮想頭部の外形に沿って湾曲していることを特徴とする。
【００１８】
上記ヘアスタイル分析装置に関連して、前記分析板の前記頭髪形成状態が、複数線分の束となる疑似毛束で表示されることを特徴とする。
【００１９】
上記ヘアスタイル分析装置に関連して、前記分析板は透明の板部材であり、前記分析板に対して、ペンを利用して前記頭髪形成状態が描かれることを特徴とする。
【００２０】
上記ヘアスタイル分析装置に関連して、少なくとも前記仮想頭部を側面から視た状態を提示するカット作業指示部を有し、前記カット作業指示部には、頭髪カット作業時に前記頭髪を帯状の束として取り出す際の取出し線が表示されることを特徴とする。
【００２１】
上記ヘアスタイル分析装置に関連して、複数種の前記頭髪カット作業時に対応する複数種の前記取出し線が、互いに区別可能に表示されることを特徴とする。
【００２２】
上記ヘアスタイル分析装置に関連して、前記カット作業指示部は、前記仮想頭部の三次元体となる頭部モデルであり、前記頭部モデルの表面に前記取出し線が表示されることを特徴とする。
【００２３】
上記ヘアスタイル分析装置に関連して、前記頭部モデルの周囲に、前記分析板が放射状に配置されることを特徴とする。
【００２４】
上記ヘアスタイル分析装置に関連して、前記頭部モデルの少なくとも半分には、ウイッグが設置されることを特徴とする。
【００２５】
本発明は、ディスプレイと、プログラムが実行される演算処理装置とを有するヘアスタイル分析装置であって、仮想頭部における頭頂から鉛直に伸びる仮想基準軸線に対して、半径方向かつ鉛直方向に広がる分析平面を有する分析板を前記ディスプレイに表示する分析板表示手段と、前記ディスプレイにおける前記分析板の前記分析平面に、当該分析平面上に沿う頭髪を前記仮想頭部から水平方向に引き上げた頭髪形成状態を表示する頭髪形成状態表示手段と、を備えることを特徴とするヘアスタイル分析装置である。
【００２６】
本発明は、コンピュータに実行されることで、前記コンピュータに対して、仮想頭部における頭頂から鉛直に伸びる仮想基準軸線に対して、半径方向かつ鉛直方向に広がる分析平面を有する分析板を前記ディスプレイに表示する分析板表示処理と、前記ディスプレイにおける前記分析板の前記分析平面に、当該分析平面上に沿う頭髪を前記仮想頭部から水平方向に引き上げた頭髪形成状態を表示する頭髪形成状態表示処理と、を実行させることを特徴とするヘアスタイル分析プログラムである。
【００２７】
本発明は、仮想頭部における頭頂から鉛直に伸びる仮想基準軸線に対して、半径方向かつ鉛直方向に広がる分析平面を利用し、前記分析平面に、当該分析平面上に沿う頭髪を前記仮想頭部から水平方向に引き上げた頭髪形成状態を表示することで、ヘアスタイルを分析することを特徴とする、ヘアスタイル分析方法である。
【発明の効果】
【００２８】
本発明によれば、ヘアスタイルのカット理論を、実践的かつ視覚的に理解することが可能になるという優れた効果を奏する。
【図面の簡単な説明】
【００２９】
【図１】本発明の第一実施形態に係るヘアスタイル分析装置を示す正面図である。
【図２】同ヘアスタイル分析装置の上面図である。
【図３】同ヘアスタイル分析装置の側面図である。
【図４】同ヘアスタイル分析装置において、（Ａ）は頭部モデルを拡大して示す側面図であり、（Ｂ）は頭部モデルの斜め後方から視た図である。
【図５】同ヘアスタイル分析装置において、（Ａ）は頭部モデルの周囲を拡大して示す側面図であり、（Ｂ）は頭部モデルの周囲を拡大して示す正面図である。
【図６】（Ａ）〜（Ｈ）は同ヘアスタイル分析装置の分析板の作図手順を示す説明図である。
【図７】同ヘアスタイル分析装置の他の構成例を示す（Ａ）正面図及び（Ｂ）側面図である。
【図８】本発明の第二実施形態に係るヘアスタイル分析装置の構成を示すブロック図である。
【発明を実施するための形態】
【００３０】
以下、本発明の実施の形態を、添付図面を参照して説明する。
【００３１】
図１乃至図３に、本発明の第一実施形態に係るヘアスタイル分析装置１（以下分析装置１という）の全体構成を示す。この分析装置１は、仮想的な頭部を提示する頭部モデル１０と、頭部モデル１０の周囲に配置される分析板５０と、頭部モデル１０を支持する支柱８０と、装置全体の水平度又は垂直度等を計測する水準器８５と、様々な場所の傾斜角度を計測可能な傾斜測定器９０と、支柱８０に固定される説明ボード９５を有する。説明ボード９５には、ヘアスタイルの分析結果の解説が表示される。
【００３２】
頭部モデル１０は、仮想頭部を具現化した三次元体となっており、図１における右側半分の頭皮領域がカット作業指示部２０となる。カット作業指示部２０は、図４（Ａ）及び（Ｂ）に示すように、少なくとも仮想頭部を側面から視た状態を提示する。カット作業指示部２０は、頭髪カット作業時において、頭髪を帯状の束Ｔとして取り出すための取出し線３０が表示される。即ち取出し線３０は、頭髪を帯状の束Ｔとして取り出す場合において、この束Ｔの根本に沿った線となる。
【００３３】
取出し線３０は、３種類の頭髪カット作業に対応した三種類の取出し線３０Ａ、３０Ｂ、３０Ｃを含む。三種類の取出し線３０Ａ、３０Ｂ、３０Ｃは、線の色（黒、赤、青など）や、線の種類（線の太さ、点線・鎖線・波線等）、または識別情報（〇、×、△や文字）等によって、互いに区別できるようにしている。図４では、互いに区別するために、取出し線３０Ａを実線、取出し線３０Ｂを点線、取出し線３０Ｃを一点鎖線で表示する。
【００３４】
次に取出し線３０の種別について解説する。頭髪カット作業の種類とは、目的、技法、手順等の違いによって種別される。本実施形態では、「ワンレングスボブ」という髪形を形成する場合として、頭髪カット作業を、以下のように３種類に区別している。
【００３５】
（１）シルエット作り（頭髪輪郭形成カット作業）
シルエット作りは、ヘアスタイルの輪郭（外形）を形成する目的で行うカット作業をいう。従って、このシルエット作りは、頭髪を影絵として視たとき（平面に投射したとき）の輪郭を適切に形成するために行う。具体的には、取出し線３０Ａに沿って頭髪を帯状の束として取り出して、毛髪の長さ方向に対して略垂直に（束の幅方向に）、適切な長さをハサミでカットする。この際の取出し線３０Ａは、頭部において、主として水平方向に延びる線となる。取出し線３０Ａは、頭髪のある全領域に亘って高さ方向に複数本形成される。このシルエット作りが完了したヘアスタイル状態を「頭髪輪郭形成状態」と定義する。
【００３６】
（２）ムーブメント作り（頭髪流れ形成カット作業）
ムーブメント作りとは、頭髪毛量調整カット作業の一種であり、シルエット作りの後に頭髪の毛量を調整し、毛髪に動きや流れを生み出す目的でカットする作業をいう。具体的には、取出し線３０Ｂに沿って頭髪を帯状の束として取り出して、毛髪の長さ方向に沿って（束の長さ方向に）ハサミでカットし、全体の長さは減らさずに毛量調整を行う。この際の取出し線３０Ａは、主として、前頭から後頭に向かって上方に傾斜する複数の線となる。取出し線３０Ｂは、頭髪の全領域に亘って高さ方向に複数本形成される。シルエット作りの取出し線３０Ａに対してムーブメント作りの取出し線３０Ｂを傾斜させることで、毛髪に動きや流れが生まれる。このムーブメント作りが完成したヘアスタイル状態を「頭髪流れ形成状態」と定義できる。
【００３７】
（３）質感（フォルム）作り（頭髪質感形成カット作業）
質感（フォルム）作りは、頭髪毛量調整カット作業の一種であり、ムーブメント作りの後に頭髪表面に微小は凹凸を形成したり、毛先の細さを調整したりして、頭髪表面の質感（光の反射具合等）を調整する作業をいう。具体的には、取出し線３０Ｃに沿って頭髪を帯状の束として取り出して、毛髪の長さ方向に沿って（束の長さ方向に）、毛先をハサミでカットしたり剃刀で削いだりして質感調整を行う。この際の取出し線３０Ｃは、主として、後ろから前に向かって上方に傾斜する複数の線となる。取出し線３０Ｃは、頭髪のある下側縁の領域に集中して高さ方向に複数本形成される。シルエット作りの取出し線３０Ａに対して質感作りの取出し線３０Ｃを傾斜させることで、毛髪に滑らかな質感が生まれる。このフォルム作りが完成したヘアスタイル状態を「頭髪質感形成状態」と定義できる。なお上記（２）又は（３）のカットを行った際のヘアスタイル状態を、共に「頭髪毛量調整状態」と定義することができる。
【００３８】
なお、ここでは「ワンレングスボブ」のヘアスタイルについて、目的、技法、手順等の違いに基づいて、頭髪カット作業の種類を三種類に区分する場合を例示しているが、この区分方法や区分数は特に限定されず、ヘアスタイル等によって適宜変更することが可能である。一方、基本的なヘアスタイルの場合、頭髪輪郭形成カット作業と頭髪毛量調整カット作業の少なくとも２種類以上に区別されることが多い。
【００３９】
図１に戻って、頭部モデル１０の左側半分には、疑似毛髪（ウイッグ）１５が設けられる。このウイッグ１５は、実際にカット作業を行うためのものであり、上記（１）〜（３）の手順に沿ってカット作業を行い、カット作業指示部２０側にその実作業を記録しながら、疑似毛髪１５を目的とするヘアスタイルに完成させる。
【００４０】
次に分析板５０について説明する。分析板５０は、図２に示すように、頭部モデル１０の周囲に放射状となるように複数配置される。具体的には、仮想頭部の前頭側正中線（中央の上下方向に延びる線）に沿った分析板５０Ａ、後頭側正中線（即ち、分析板５０Ａに対して１８０度の周方向角度差を有する部位）に沿った分析板５０Ｅ、前頭側正中線から９０度の周方向角度差を有する分析板５０Ｃ、前頭側正中線から４５度の周方向角度差を有する分析板５０Ｂ、前頭側正中線から１３５度の周方向角度差を有する分析板５０Ｄを有する。この５枚の分析板５０Ａ〜５０Ｅを用いてアスタイルを図案化する。なお、ここでは５枚の分析板５０Ａ〜５０Ｅを設置する場合を例示しているが、その枚数は特に限定されない。一方、分析板５０は、周方向に角度位相差を有する状態で複数枚設置することが好ましく、より望ましくは、一枚の分析板は正中線に沿うように配置し、残りの分析板の少なくとも一枚は、正中線の分析板から１８０度未満の角度位相差（０度は含まない）を有するように配置して、ヘアスタイルを立体的に分析できるようにする。
【００４１】
分析板５０は、透明（半透明を含む）の板状部材で構成されており、この板状部材の表面に、油性又は水性のペンによって、後述する頭髪形成状態を書き込む。分析板５０における頭部モデル１０側の内周縁は、仮想頭部（頭部モデル１０）の外形に沿って湾曲している。従って、分析板５０と頭部モデル１０の隙間が小さくなるように設定される。
【００４２】
分析板５０は、頭部モデル１０の頭頂に延長配置される支柱８０に固定されている。なお、分析板５０は、頭部モデル１０に固定されていても良く、頭部モデル１０の下側の支柱８０に固定されていても良い。好ましくは図２の点線に示すように、分析板１０が、支柱等の固定された状態で、周方向にスライド（揺動）自在に配置されるようにし、ウイッグ１５を実際にカットする際には、ウイッグ１５から退避させる。
【００４３】
図５（Ａ）に示すように、分析板５０は、仮想頭部における頭頂から鉛直に伸びる仮想基準軸線Ｇに対して、半径方向Ｒかつ鉛直方向Ｓに広がる分析平面５５を有する。分析平面５５には、分析平面上５５に沿う頭髪（即ち、分析平面５５と頭部モデル１０が交差する線上に存在する頭髪）を、水平方向に引き上げた「頭髪形成状態６０」が表示される。
【００４４】
図６を参照して、分析平面５５に表示される頭髪形成状態の作図手法を説明する。なお、図６（Ａ）〜（Ｄ）は、頭髪の先端を連ねた輪郭線によって表示する例を示し、図６（Ｅ）〜（Ｈ）は、頭髪を疑似的に太くした線分によって表示する例を示す。なお、図６（Ａ）と（Ｅ）は完成状態であり、その他は、ドラフティング途中の状態を示している。
【００４５】
（１）シルエット表示（頭髪輪郭形成状態表示）
図６（Ｂ）及び（Ｆ）にシルエット表示６０Ａの例を示す。シルエット表示６０Ａは、シルエット作りで頭髪をカットした状態を表示する。シルエット作りはヘアスタイルの輪郭形成作業となることから、シルエット表示６０Ａでは、頭髪を水平方向に引き出した状態の輪郭（外形）が判断できるように表示する。図６（Ｂ）では、外形のみを実線で表示している。図６（Ｆ）は、輪郭形成した頭髪を疑似的に水平方向に引き出した状態を表示している。
【００４６】
（２）ムーブメント表示（頭髪流れ形成状態表示）
図６（Ｃ）及び（Ｇ）にムーブメント表示６０Ｂの例を示す。ムーブメント表示６０Ｂは、頭髪毛量調整状態表示の一種であり、ムーブメント作りでカットした状態を表示する。ムーブメント作りは毛量調整作業となることから、ムーブメント表示６０Ｂでは、毛量がどのように減少されるかを判断できるように表示する。図６（Ｃ）では、毛髪の先端の長さがギザギザとなるようにカットされた状態を、先端を連ねる点線で表示している。この図を見れば、水平方向に引き出した髪の上下中央部分の毛量が多めに減少していることがわかる。図６（Ｇ）では、毛量調整した頭髪を疑似的に水平方向に引き出した状態を表示している。
【００４７】
（３）質感（フォルム）表示（頭髪質感形成状態の表示）
図６（Ｄ）及び（Ｈ）に質感（フォルム）表示６０Ｃの例を示す。質感表示６０Ｃは、頭髪毛量調整状態表示の一種であり、質感作りでカットした状態を表示する。質感作りは、頭髪表面の質感（光の反射具合等）を調整する作業となることから、質感表示では、質感がどのように調整されるかを判断できるように表示する。図６（Ｄ）では、毛髪の先端の長さがギザギザとなるようにカットされた状態を、先端に沿った一点鎖線で表示している。従って、この図を見れば、水平方向に引き出した髪の上縁は質感調整が行われずに、その直下の質感を多く調整し、下側の方は少なめに質感調整することがわかる。図６（Ｈ）では、毛量調整した頭髪を疑似的に水平方向に引き出した状態を表示している。
【００４８】
そして図６（Ａ）及び（Ｅ）は、上記（１）〜（３）の状態が重畳表示された完成状態となる。図６（Ａ）及び（Ｅ）の分析板５０では、上記（１）〜（３）の各状態６０Ａ〜６０Ｃが、線種によって区別可能に表示される。この分析板５０を見れば、頭髪モデル１０のカット作業指示部２０に基づいて、シルエット作り、ムーブメント作り、質感作りを実行した結果が、分析表面５５上の頭髪にどのように反映されるかを、具体的に理解することができる。なお、図６（Ａ）〜（Ｄ）では、線種によって、頭髪形成状態を区別可能に表示しているが、線色によって区別するようにしても良い。また、図６（Ｅ）〜（Ｈ）のように、模式的な頭髪の複数線分となる束（疑似毛束）を利用し、この疑似毛束の実際の長さによって区別可能に表現することも好ましい。この際は、疑似毛束の色を、図６（Ｆ）、（Ｇ）、（Ｈ）で互いに区別することで、図６（Ｅ）のように重畳させた状態でも、互いに区別できるようにすることが好ましい。
【００４９】
次に、分析板５０によってヘアスタイルを分析する手順の例を説明する。まず、水準器８５を利用して、支柱８０や頭部モデル１０等が正しく鉛直方向に起立しているか否かを確認する。その後、頭部モデル１０のウイッグ１５を利用して、シルエット作りを行い、実際に用いた取出し線３０Ａをカット作業指示部２０に記入していく。その後、分析板５０をウイッグ１５の周囲に配置して、ウイッグ１５の頭髪を水平方向に引き出して、分析板の分析表面５５に、シルエット表示を記入する（図６（Ｂ）及び（Ｆ）の状態）。
【００５０】
次いで、分析板５０をウイッグ１５から退避させて、ウイッグ１５に対してムーブメント作りを行い、実際に用いた取出し線３０Ｂをカット作業指示部２０に記入していく。その後、分析板５０を所定の場所に配置して、ウイッグ１５の頭髪を水平方向に引き出して、分析板の分析表面５５にムーブメント表示を記入する（図６（Ｃ）及び（Ｇ）の状態）。
【００５１】
次に、分析板５０をウイッグ１５から退避させて、ウイッグ１５に対して質感作りを行い、実際に用いた取出し線３０Ｃをカット作業指示部２０に記入していく。その後、分析板５０を所定の場所に配置して、ウイッグ１５の頭髪を水平方向に引き出して、分析板の分析表面５５に質感表示を記入する（図６（Ｃ）及び（Ｈ）の状態）。結果として、分析板５０が、図６（Ａ）及び（Ｅ）の状態となる。
【００５２】
なお、傾斜測定器９０は、完成した分析板５０に表示される表示の角度を分析する際に用いる。例えば「ワンレングスボブ」の場合は、図６（Ｂ）のシルエット表示６０Ａにおいて、頭髪の先端を結ぶ輪郭線が、４５度の傾斜となるのが一般的といえる。
【００５３】
ヘアスタイルは、髪の毛が重力によって下側に垂れ下がり、鉛直方向に髪の毛が重なり合うことで生まれる輪郭、流れ、質感となる。一方、カット作業は、頭部に対して様々な三次元のラインに沿って頭髪を引き出して行われる。従って、熟練者で無い限り、カット作業とヘアスタイルの相関を理解することは難しい。
【００５４】
そこで、本実施形態の分析装置１によれば、半径方向かつ鉛直方向に広がる分析平面５５を有する分析板５０によって、頭髪を水平方向に引き上げた頭髪形成状態が表示されるので、ヘアスタイルの状態を客観的に把握することができる。しかも、この分析板５０は、仮想基準軸線に対して周方向に複数（ここでは５枚）配置されるので、ヘアスタイルを立体的に把握することができる。
【００５５】
更にこの分析装置１では、頭部モデル１０におけるカット作業指示部２０を利用して、仮想頭部を側面から視た状態を提示し、頭髪カット作業時の取出し線３０を表示する。従って、この取出し線３０によって、具体的な頭髪カット作業を把握することができる。
【００５６】
結果、分析板５０を利用したヘアスタイルと、取出し線３０を利用した具体的な頭髪カット作業を、同時に把握することが可能となり、カット作業とヘアスタイルの相関を誰でも簡単に理解できる。また、本分析装置１によって、ヘアスタイルの分析手法を規格化することで、カット者を育成するための教育場面や、理容室等においてヘアスタイルを顧客に説明する場面において、統一的なコミュニケーションを図ることが可能となる。
【００５７】
また本分析装置１によれば、目的等に対応した複数種のカット作業及びカット状態を区別した状態で、分析板５０とカット作業指示部２０にそれぞれ表示されるので、どのカット作業が、ヘアスタイルにどのように反映されるのかを、体形的に理解できる。例えば、カット作業の区分として、頭髪輪郭形成カット作業による頭髪輪郭形成状態と、頭髪毛量調整カット作業による頭髪毛量調整状態を採用し、これらを分別できるように表示することで、ヘアスタイルを理論的に習得できるようになる。特に本分析装置１では、カット作業が、三次元体となる頭部モデル１０の表面に取出し線３０として立体的に表示され、ヘアスタイルの結果は、鉛直方向に広がる分析板５０に展開表示されるので、三次元となるカット作業の実践的な提示と、ヘアスタイルの客観的な分析を両立できる。従って、この分析装置１を利用して様々なヘアスタイルを習得すると、熟練者でないと理解できなかった、カット作業とヘアスタイルの相関を素早く理解することが可能となる。
【００５８】
更にまた、この分析装置１の頭部モデル１０には、ウイッグ１５が設置されているので、新しいヘアスタイルを開発する際に、実際にウイッグ１５を利用してカット作業を行いながら、そのカット作業をカット作業指示部２０に記録できる。また、完成したヘアスタイルを、分析板５０によって分析できる。結果、新しいヘアスタイルを、理論的に開発することが可能となる。この際、分析板５０が透明になっているので、分析板５０とウイッグ１５を重ねて視ることができるので、より便利にヘアスタイルを分析できる。
【００５９】
なお、上記実施形態では、頭部モデル１０に形成されるカット作業指示部２０が立体的の場合を例示したが、本発明はこれに限定されず、図７に示すように、カット作業指示部２０は平面になっており、そのカット作業指示部２０に取出し線を二次元的に表示することも可能である。
【００６０】
次に、図８を利用して、第二実施形態の分析装置１０１について説明する。この分析装置１０１は、第一実施形態の分析装置１と同じ内容を、ディスプレイ内に仮想的に表示するようになっている。従って、ディスプレイに表示される内容の説明は省略し、分析装置１０１のハード構成とプログラム構成に限って説明する。
【００６１】
分析装置１０１は、いわゆる計算機であり、タッチパネル機能を有するディスプレイ１１０、演算処理装置１２０、メモリ１３０を有する。メモリ１３０には、分析プログラム１４０が格納されており、この分析プログラムが演算処理装置１２０で実行される。結果、ディスプレイ１１０に、仮想的に頭部モデルや分析板等が表示される。
【００６２】
プログラム１４０が実行されることで分析装置１０１が実現する機能は、分析板表示処理１４１、頭髪形成状態表示処理１４２、頭部モデル表示処理１４３、カット作業指示表示処理１４４、三次元操作処理１４５となる。
【００６３】
頭部モデル表示処理１４３は、ディスプレイに頭部モデルを表示する。これによりヘアスタイルを把握することができる。頭部モデル自体やそのヘアスタイルは、実際のヘアスタイルを撮影した画像・動画データや、三次元データで描かれたものであっても良い。分析板表示処理１４１は、ディスプレイに表示される頭部モデルの周囲に分析板を表示する。頭髪形成状態表示処理１４２は、ディスプレイに表示される分析板に、頭髪形成状態を表示する。カット作業指示表示処理１４４は、頭部モデルの表面に取出し線を表示する。
なお、頭髪形成状態表示処理１４２及びカット作業指示表示処理１４４は、編集機能を有しており、ディスプレイのタッチパネル機能を利用して、タッチペン等によって、頭髪形成状態や取出し線を記入、編集、削除できるようになっている。また、これらのデータはメモリ１３０に保存可能となっている。三次元操作処理１４５は、ディスプレイのタッチパネル機能を利用して、頭部モデルや分析板を仮想的に回転させることで、様々な方向から確認できるようにする。
【００６４】
以上の分析装置１０１によれば、ウイッグを利用した実際のカット作業を行うことはできないものの、第一実施形態の分析装置１を、ディスプレイ上に表示することができる。従って、第一実施形態の分析装置１で分析した結果を、第二実施形態の分析装置１０１に入力していけば、分析結果をデータ化（デジタル化）することが可能となり、例えば、各顧客のカット作業履歴をデータ化してカルテとして保管することもできる。また、蓄積されたデータを読み込めば、いつでも、ヘアスタイルを分析することができる。
【００６５】
尚、本発明の分析装置等は、上記した実施の形態に限定されるものではなく、本発明の要旨を逸脱しない範囲内において種々変更を加え得ることは勿論である。
【符号の説明】
【００６６】
１、１０１    ヘアスタイル分析装置
１０          頭部モデル
２０          カット作業指示部
３０          取出し線
５０          分析板
５５          分析平面
６０          頭髪形成状態表示
８０          支柱
８５          水準器
９０          傾斜測定器
【図１】
2016077437.tif 000003
【図２】
2016077437.tif 000004
【図３】
2016077437.tif 000005
【図４】
2016077437.tif 000006
【図５】
2016077437.tif 000007
【図６】
2016077437.tif 000008
【図７】
2016077437.tif 000009
【図８】
2016077437.tif 000010